(57)【要約】【課題】スライド代を機器内に設けるようにしても良好な着脱操作性と良好な外観とを同時に確保できるスライド式着脱カバーを備えた機器を提供する。【解決手段】前面カバー４のスリット３ａと桟３ｂとが交互に並んだ前面カバー梯子形状部３を、前面カバー本体５のスリット７ａと桟７ｂとが交互に並んだ本体側梯子形状部７と、着脱カバー体６のスリット９ａと桟９ｂとが交互に並んだ着脱カバー側梯子形状部９と、着脱カバー配置用空所８内の着脱カバー体６のスライド方向における両側の隙間ｓとで構成する。【選択図】図１
2008054248.tif 000002
【特許請求の範囲】
【請求項１】
機器の前面部にスリットと桟とが交互に並んだ前面カバー梯子形状部を有する前面カバーを設け、この前面カバーを前面カバー本体と着脱カバー体とで構成し、前面カバー本体の前面カバー梯子形状部に対応する区域を、スリットと桟とが交互に並んだ本体側梯子形状部と、着脱カバー体をスライド自在に配置するための着脱カバー配置用空所とに区分けし、この着脱カバー配置用空所の奥方に機器を被取付部材に対して取り付けるための取付具の操作部を露出させ、この着脱カバー配置用空所内に、少なくとも前面側がスリットと桟とが交互に並んだ着脱カバー側梯子形状部となった着脱カバー体を上記桟と直交する方向にスライド自在に配置し、この着脱カバー体を着脱カバー配置用空所内に配置して着脱カバー体の一部で上記操作部を覆った被覆位置に位置させた状態で、スライド方向における着脱カバー体の両側に着脱カバー配置用空所内の両端部をそれぞれ構成する隙間を形成させると共に、本体側梯子形状部と着脱カバー側梯子形状部と上記隙間とで上記前面カバー梯子形状部を構成し、着脱カバー体を着脱カバー配置用空所内の上記被覆位置に位置させた状態では取り外せず着脱カバー配置用空所の上記隙間の一方を埋めるようにスライドさせた状態で取り外せるようにした着脱カバー保持手段を設けて成るスライド式着脱カバーを備えた機器。
【請求項２】
被覆位置にある着脱カバー体の前面レベルと前面カバー本体の前面レベルとを面一状にしたことを特徴とする請求項１に記載のスライド式着脱カバーを備えた機器。
【発明の詳細な説明】
【技術分野】
【０００１】
本発明は、スライド式着脱カバーを備えた機器に関するものである。
【背景技術】
【０００２】
従来から、図１２のように機器１を被取付部材２に対して取り付けるための取付具１０の操作部１０ａは、機器１の前面側から操作できるように機器１の前面に露出されることとなる。しかしながら操作部１０ａが前面に露出すると機器１の外観が崩れることとなるから、良好な機器１の外観を確保するには、操作部１０ａを覆って前面外観に露出させないようにするカバー体が必要とされる。
【０００３】
ここで、機器１に装着するカバー体は操作部１０ａが機器１を被取付部材２から取り外す場合など適宜使用されるため、操作部１０ａの使用時には取り外しが必要となる。機器１への取り外しも容易なカバー体としてはたとえば図１３のようなスライド式のカバーが挙げられる（たとえば特許文献１参照）。しかしながら、機器１はしばしば図１２のように被取付部材２に埋設されるように取り付けられることもあるから、この場合には図１３のようなスライド代Ａが機器１の外部にある着脱カバー体６はそのままでは適用することはできない。つまり、被取付部材２に埋設する場合にも適用できるように、着脱カバー体６のスライド代Ａは機器１内に設けるのが好ましい。
【０００４】
しかしながら、スライド代が機器内に設けられる場合には、スライド代の分だけカバー体で覆われない部分ができることとなり、スライド代の部分が隙間状の外観を呈することとなって機器の外観を崩す恐れがある。しかも、スライドさせた後に取外し可能にしたカバー体にあって、その着脱操作性を考えた場合、スライド代はすなわちスライドさせた後のカバー体の指の引っ掛け代となるから、機器の外観に目立たないようスライド代の幅を狭くすることは指の引っ掛け代を狭くすることにほかならないのであり、カバー体の着脱操作性を低下させてしまうのであった。
【特許文献１】特開２００４−１０３３０７号公報
【発明の開示】
【発明が解決しようとする課題】
【０００５】
本発明は上記の従来の問題点に鑑みて為したものであって、スライド代を機器内に設けるようにしても良好な着脱操作性と良好な外観とを同時に確保できるスライド式着脱カバーを備えた機器を提供することを課題とするものである。
【課題を解決するための手段】
【０００６】
上記課題を解決するために本発明の請求項１に係るスライド式着脱カバーを備えた機器は、機器１の前面部にスリット３ａと桟３ｂとが交互に並んだ前面カバー梯子形状部３を有する前面カバー４を設け、この前面カバー４を前面カバー本体５と着脱カバー体６とで構成し、前面カバー本体５の前面カバー梯子形状部３に対応する区域を、スリット７ａと桟７ｂとが交互に並んだ本体側梯子形状部７と、着脱カバー体６をスライド自在に配置するための着脱カバー配置用空所８とに区分けし、この着脱カバー配置用空所８の奥方に機器１を被取付部材２に対して取り付けるための取付具１０の操作部１０ａを露出させ、この着脱カバー配置用空所８内に、少なくとも前面側がスリット９ａと桟９ｂとが交互に並んだ着脱カバー側梯子形状部９となった着脱カバー体６を上記桟９ｂと直交する方向にスライド自在に配置し、この着脱カバー体６を着脱カバー配置用空所８内に配置して着脱カバー体６の一部で上記操作部１０ａを覆った被覆位置に位置させた状態で、スライド方向における着脱カバー体６の両側に着脱カバー配置用空所８内の両端部をそれぞれ構成する隙間ｓを形成させると共に、本体側梯子形状部７と着脱カバー側梯子形状部９と上記隙間ｓとで上記前面カバー梯子形状部３を構成し、着脱カバー体６を着脱カバー配置用空所８内の上記被覆位置に位置させた状態では取り外せず着脱カバー配置用空所８の上記一方の隙間ｓを埋めるようにスライドさせた状態で取り外せるようにした着脱カバー保持手段１１を設けて成ることを特徴とする。
【０００７】
これによると、着脱カバー保持手段１１によって前面カバー本体５の着脱カバー配置用空所８内の被覆位置に着脱カバー体６が取り付けられた際には、着脱カバー体６のスライド代Ａなどになる隙間ｓがスライド方向における着脱カバー体６の両側の着脱カバー配置用空所８内の両端部にそれぞれ形成されるが、この隙間ｓは、それぞれスリット７ａ（９ａ）と桟７ｂ（９ｂ）とがスライド方向に交互に並設されて成る前面カバー本体５の本体側梯子形状部７や着脱カバー体６の着脱カバー側梯子形状部９のスリット７ａ（９ａ）と近似し、本体側梯子形状部７と着脱カバー側梯子形状部９との間に連続性を備えるようにできるから、本体側梯子形状部７と着脱カバー側梯子形状部９と上記隙間ｓとでスリット３ａと桟３ｂとがスライド方向に交互に並設されて成る前面カバー梯子形状部３を構成できるのであり、機器１の前面外観を意匠的に連続性のある外観にできるのであって、機器１に良好な外観を確保することができる。また、着脱カバー体６が被覆位置にある際には着脱カバー体６のスライド方向における両側の着脱カバー配置用空所８内の両端部にはそれぞれ隙間ｓが設けられ、一方の隙間ｓはスライド代Ａとして機能するのであるが、着脱カバー体６をスライドさせる際には、着脱カバー体６の着脱カバー側梯子形状部９の桟９ｂに指を引っ掛け易くて、着脱カバー体６を操作性良くスライドさせ得るのであり、また、スライドさせた着脱カバー体６は着脱カバー保持手段１１により取外し自在な状態となるが、このスライドさせた着脱カバー体６のスライド方向と反対側には上記各隙間ｓ，ｓの隙間幅を加算した大きな隙間Ｓとなる指引っ掛け代Ｂが形成されるから、この大きな隙間Ｓである指引っ掛け代Ｂに指を挿入して着脱カバー体６を前方に引き出すことが容易に行えるのであり、つまり着脱カバー体６の良好な着脱操作性を確保できるのである。
【０００８】
また、請求項２に係るスライド式着脱カバーを備えた機器は、請求項１において、被覆位置にある着脱カバー体６の前面レベルと前面カバー本体５の前面レベルとを面一状にしたことを特徴とする。これによると、着脱カバー体６を取り付けた状態の機器１の前面の外観をすっきりとしたものにできて、機器１の外観を更に高めることができる。
【発明の効果】
【０００９】
本発明は、スライド代を埋設スピーカー内に設けるようにしても、着脱カバー体の良好な着脱操作性と埋設スピーカーの良好な外観とを同時に確保できる、といった従来為し得なかった利点を有する。
【発明を実施するための最良の形態】
【００１０】
以下、本発明を添付図面に示す実施形態に基いて説明する。
【００１１】
本例の機器１は図９のように便器２０に埋設される埋設スピーカー１ａを例示する。この埋設スピーカー１ａは図１のようにスピーカー１２を内装した本体ブロック１３の前面に前面カバー４を裏面側から取付ねじ（図示せず）によって一体に取り付けることで構成されている。前面カバー４には、スピーカー１２を保護すると共にスピーカー１２からでる音を外部に放出させるために、前後に貫通する左右に長いスリット３ａと桟３ｂとを上下に交互に並べて成る前面カバー梯子形状部３が形成されており、この前面カバー４の周縁部は本体ブロック１３よりも外方に突出していてフランジ片１５を構成している。便器２０は上方に開口せるボウル部２１の周囲を設置面から立設した円弧板状のスカート板材２２で覆設して形成されている。埋設スピーカー１ａは、被取付部材２となるスカート板材２２とボウル部２１との間の中空空間であるデッドスペースにスカート板材２２に穿設した取付用開口２ａから本体ブロック１３を挿入して配置すると共に、前面カバー４をスカート板材２２の前面に沿わせて配置し、スカート板材２２の取付用開口縁をフランジ片１５と後述する挟持片１６とで前後に挟持することで、便器２０に埋設される。
【００１２】
ここで、挟持片１６は、埋設スピーカー１ａに回転自在に備えられたネジ部材である取付具１０に取り付けられており、埋設スピーカー１ａの前面に露出した取付具１０の頭部が構成する操作部１０ａを埋設スピーカー１ａの前方からドライバーなどを使って回転させることで、図１０（ａ）の矢印のように前後に移動等、取付具１０に連動する。詳しくは、取付具１０の操作部１０ａを締め付け方向に回転させることで、図１０（ｂ）のように埋設スピーカー１ａから側方に突出した姿勢を維持して上記のようにフランジ片１５と共にスカート板材２２の取付用開口縁を挟持して便器２０に埋設スピーカー１ａを埋設可能にすると共に、該操作部１０ａを埋設スピーカー１ａの前方からドライバーなどを使って緩ませ方向に回転させることで、図１０（ｃ）のように埋設スピーカー１ａの側部に凹設された挟持片収納部１７に収納した姿勢を維持させて支障なく取付用開口２ａから本体ブロック１３を抜かせて便器２０から埋設スピーカー１ａを取外し可能にしている。なお、図の１８は取付具１０への挟持片１６の螺合強さを高めて適宜取付具１０に挟持片１６を供回りさせるために取付具１０に巻装されたコイルバネである。
【００１３】
上記のように取付具１０は前方から操作できるようにその操作部１０ａが埋設スピーカー１ａの前面（すなわち前面カバー４の前面）に露出しているのであるが、そのままだと上記操作部１０ａが埋設スピーカー１ａの外観を低下させるので、前面カバー４は、図３のように、主体を構成する前面カバー本体５に対して操作部１０ａの前方を覆う着脱カバー体６が着脱自在に取り付けられて形成されている。この着脱カバー体６は、本体ブロック１３の前面に位置する前面カバー本体５の上下左右の中央部分に凹設した着脱カバー配置用空所８内に配置され、着脱カバー配置用空所８内に露出する操作部１０ａを覆わせるものであって、着脱カバー配置用空所８内で上下にスライドすることで着脱が為されるスライド式着脱カバーである。
【００１４】
詳しくは、図４のように、前面カバー本体５における本体ブロック１３の前方領域のうち着脱カバー配置用空所８内以外の部分には、前後に貫通するスリット７ａと桟７ｂとが交互に並んだ本体側梯子形状部７が形成されている。この本体側梯子形状部７は、後述の着脱カバー側梯子形状部９と一緒に上記前面カバー梯子形状部３を構成することとなり、スリット７ａと桟７ｂとは等間隔で並設されている。前方に開口する凹所状の着脱カバー配置用空所８には、本体側梯子形状部７と意匠の連続性を有するような前後に貫通するスリット２３ａと桟２３ｂとが交互に等間隔に並べて成る空所内梯子形状部２３が形成されており、その左右端部の部分では垂直面板状の底板部２４が形成されて取付具１０の操作部１０ａが左右に位置すると共に、上下に長いスリット状の係止長孔２５や、段スリット状の浮き止めリブ係止部２６が、左右に一対ずつ形成されている。詳しくは、着脱カバー配置用空所８の上下端部には空所内梯子形状部２３のスリット２３ａがそれぞれ位置しており、着脱カバー配置用空所８の上下隣接部分には本体側梯子形状部７の桟７ｂがそれぞれ位置しており、空所内梯子形状部２３と本体側梯子形状部７との間では、上下に交互に並設されるスリット２３ａと桟７ｂとが連続的に繋がり、梯子形状といった意匠の連続性が保たれている。
【００１５】
また、着脱カバー体６は、図２のように、矩形状の前面板３０を有し、前面板３０の裏面には裏方に突出した下向きＬ字片状のスライド突片３１が左右に一対形成されると共に、前面板３０の裏面の上端部に側外方に突出する浮き止めリブ３２が形成されている。また、この前面板３０には本体側梯子形状部７と意匠の連続性を有するようなスリット９ａと桟９ｂとを上下に交互に並べて成る着脱カバー側梯子形状部９が形成されている。着脱カバー体６の上下端部にはそれぞれ着脱カバー側梯子形状部９の桟９ｂが形成されており、各スリット９ａは左右中央部分に前後に貫通する貫通スリット部９ａ１を形成すると共に、左右端部分に溝状の擬似スリット部９ａ２を形成して構成されており、擬似スリット部９ａ２の溝底部分が着脱カバー配置用空所８内に露出する操作部１０ａを覆う操作部覆い部３３を構成している。詳しくは、矩形状の前面板３０の上下寸法は、着脱カバー配置用空所８内の上下寸法に比べてスリット２３ｂの幅の約２個分短くされ、前面板３０の前後厚みは着脱カバー配置用空所８の凹み深さと略同長さにされるといった寸法関係に形成されている。
【００１６】
この着脱カバー体６は、着脱カバー保持手段１１によって、上下にスライドさせることで着脱自在に着脱カバー配置用空所８に取り付けられる。着脱カバー体６を着脱カバー配置用空所８に前方から近接させて係止長孔２５に前方から挿入されたスライド突片３１は、着脱カバー体６を下方にスライドさせることでスライド突片３１の下端部分が着脱カバー配置用空所８の底板部２４の裏面側に入り込んで係止されることで、着脱カバー体６が着脱カバー配置用空所８に取り付けられる。また、このとき浮き止めリブ３２も、図８のように、浮き止めリブ係止部２６に挿入されて裏方から引っ掛け係止され、着脱カバー体６の着脱カバー配置用空所８からの前方への抜けが防止される。すなわち本例では着脱カバー保持手段１１は、係合するスライド突片３１や係止長孔２５、浮き止めリブ３２や浮き止めリブ係止部２６で構成されている、詳しくは、スライド突片３１や係止長孔２５は着脱カバー体６や着脱カバー配置用空所８の比較的下部部分に設けられている一方、浮き止めリブ３２や浮き止めリブ係止部２６は着脱カバー体６や着脱カバー配置用空所８の上端部に設けられており、良好なバランスの取付強度のもと、着脱カバー体６が着脱カバー配置用空所８に取り付けられる。
【００１７】
着脱カバー体６が着脱カバー配置用空所８に取り付けられた状態では、図３のように、着脱カバー体６の操作部覆い部３３が着脱カバー配置用空所８に露出する操作部１０ａを覆うようになる。この着脱カバー体６を着脱カバー配置用空所８内に配置して操作部覆い部３３で上記操作部１０ａを覆った被覆位置に位置させた状態では、着脱カバー体６の着脱カバー側梯子形状部９のスリット９ａや桟９ｂが着脱カバー配置用空所８の空所内梯子形状部２３のスリット２３ａや桟２３ｂにそれぞれ対応して重合する。またこのときには、着脱カバー体６の前面レベル（着脱カバー側梯子形状部９の桟の前面）は前面カバー本体５の前面レベル（本体側梯子形状部７の桟の前面）と略面一になっている。このように着脱カバー体６が着脱カバー配置用空所８の被覆位置に取り付けられた状態の埋設スピーカー１ａの前面カバー４を前方から見たときには、前方に露出する本体側梯子形状部７と着脱カバー側梯子形状部９との間で上下に交互に並設されるスリット３ａと桟３ｂとが連続的に繋がっているような意匠の連続性の保たれた前面カバー梯子形状部３が現出されるのであり、埋設スピーカー１ａの良好な外観が確保されている。詳しくは、上記被覆位置にある着脱カバー体６はその上下端部を残すように着脱カバー配置用空所８内に位置しており、つまりスライド方向における着脱カバー体６の両側には着脱カバー配置用空所８内の両端部（上下端部）がそれぞれ構成する隙間ｓを形成されており、これら隙間ｓからは空所内梯子形状部２３の上下端にあるスリット２３ａがそれぞれ露出するのであるが、上述のように空所内梯子形状部２３と本体側梯子形状部７との間では上下に交互に並設されるスリット２３ａと桟７ｂとが連続的に繋がって意匠の連続性が保たれているので、良好な外観の前面カバー梯子形状部３が現出されるのである。
【００１８】
着脱カバー体６は、上記着脱カバー保持手段１１により、上記被覆位置に位置させた状態では取り外せず着脱カバー配置用空所８の上記隙間の一方を埋めるようにスライドさせた状態で取り外せるようになっている。つまり、着脱カバー体６は、被覆位置では着脱カバー保持手段１１を構成するスライド突片３１や浮き止めリブ係止部２６がそれぞれ着脱カバー配置用空所８の底板部２４に裏方からの係合することで前方への抜けが防止されて取り外せないようになっているが、着脱カバー体６を被覆位置から上方にスライドさせたときには上記係合がそれぞれ解除されて、着脱カバー体６を前方に引き出して着脱カバー配置用空所８から前方に取り外すことができる。すなわち、上記の着脱カバー配置用空所８における被覆位置にある着脱カバー体６の上側の隙間ｓが着脱カバー体６のスライド代Ａとなっている。
【００１９】
詳しくは、着脱カバー体６の取外しは、まず図５のように指を着脱カバー体６に前方から当てて着脱カバー体６を上方にスライドさせる。なお図中Ｄは作業者の指である。着脱カバー体６の上方へのスライドは、図６のように、上記スライド代Ａを埋めるように、着脱カバー体６の上端が着脱カバー配置用空所８の上端面（隣接する本体側梯子形状部７の桟の下面）に当たるまで行わせるのであり、着脱カバー保持手段１１による着脱カバー体６の着脱カバー配置用空所８への係合を解除させる。ここで、着脱カバー体６をスライドさせる際には、上下にかかわらず着脱カバー側梯子形状部９の桟９ｂに指を掛けることができ、その操作性は良好である。このとき着脱カバー配置用空所８内の着脱カバー体６の下側部分には、被覆位置に位置した着脱カバー体６の下側にあった隙間ｓに上記スライド代Ａとなる上側にあった隙間ｓを加えた幅分の指引っ掛け代Ｂとなる大きな隙間Ｓができるのであり、図７のように、この大きな隙間Ｓである指引っ掛け代Ｂに前斜め下側から指を挿入して着脱カバー体６に指を当てて、着脱カバー体６の上端と着脱カバー配置用空所８の上端面（隣接する本体側梯子形状部７の桟の下面）との当接点を回動中心するように着脱カバー体６を前方に引き出すように回動させて、着脱カバー体６を着脱カバー配置用空所８から取り外すのである（無論、図のように指で着脱カバー体６を摘んで前方に引き出すことも可能である）。このように着脱カバー体６を前方に引き出すのに使用する指引っ掛け代Ｂは、被覆位置に位置した着脱カバー体６の上下に隙間幅分の大きな隙間Ｓにできるから、着脱カバー体６に容易に指を引っ掛けることができて、その操作性は良好である。上記のように着脱カバー体６の取外しは、良好な操作でスライドできると共に前方に引き出し得るので、全体としてその操作性は良好である。
【００２０】
上記のように本例のスライド式着脱カバーを備えた埋設スピーカー１ａは、スライド代Ａを埋設スピーカー１ａ内に設けるようにしても着脱カバー体６の良好な着脱操作性と埋設スピーカー１ａの良好な外観とを同時に確保できる、といった従来為し得なかった利点を有しているのである。
【００２１】
なお、上記実施形態では、図１０（ｂ）で埋設スピーカー１ａはフランジ片１５をスカート板材２２の前側に沿わせるようにして便器２０に取り付けさせたものを例示したが、図１２のように取付用開口縁に形成した前段部２ｂにフランジ片１５を位置させて埋設スピーカー１ａをその前面がスカート板材２２の前面に面一状になるように取り付け、表面が面一にされた埋設スピーカー１ａの良好な外観も相俟ってすっきりした取付外観を現出させることも好ましい。また、着脱カバー体６のスライド代Ａを実施形態のスライド代Ａよりも微かに長く形成したり、空所内梯子形状部２３の桟の前端角部にＲ状の逃げを形成したりなどして、図１１のようにスライド代Ａを埋めるようにカバー体を上方にスライドさせたときに、着脱カバー体６の下端を空所内梯子形状部２３のスリット２３ａの前方領域に位置させて着脱カバー体６の下側と空所内梯子形状部２３のスリット２３ａとが連通するような爪引掛用隙間Ｃを形成させるようにすることも好ましい。これによると着脱カバー体６を指引っ掛け代Ｂに挿入した指の爪を爪引掛用隙間Ｃに挿入し、この爪で着脱カバー体６をその裏方から引っ掛けることができ、より簡単に前方に引き出すようにできるから、着脱カバー体６の着脱操作性を更に高めることができるのである。
【図面の簡単な説明】
【００２２】
【図１】本発明の実施の形態の例の埋設スピーカーであり、（ａ）は斜視図であり、（ｂ）は分解斜視図である。
【図２】同上の着脱カバー体であり、（ａ）は前面側から見た斜視図であり、（ｂ）は裏面側から見た斜視図である。
【図３】（ａ）は同上の埋設スピーカーの正面図であり、（ｂ）は（ａ）のＡ−Ａ線断面図である。
【図４】同上の前面カバー本体の要部の斜視図である。
【図５】同上の被覆位置にある着脱カバー体を上方にスライドさせる直前の状態の縦断面図である。
【図６】同上の着脱カバー体を上方にスライドさせた状態の縦断面図である。
【図７】同上の着脱カバー体を前方に引き出して前面カバー本体から取り外した状態の縦断面図である。
【図８】（ａ）は被覆位置に着脱カバー体が位置した状態（図５の状態）の前面カバーの要部の拡大斜視図であり、（ｂ）は被覆位置から上方に着脱カバー体をスライドさせた状態（図６の状態）の前面カバーの要部の拡大斜視図である。
【図９】同上の埋設スピーカーを便器に埋設させた状態の斜視図である。
【図１０】（ａ）は同上の埋設スピーカーの取付具の操作による挟持片の動作を示す斜視図であり、（ｂ）は挟持片がフランジ片と共に取付部材の取付用開口縁を挟持した状態の水平断面図であり、（ｃ）は挟持片が挟持片収納部内に収納された状態の水平断面図である。
【図１１】本発明の実施の形態の他例における着脱カバー体を上方にスライドさせた状態の縦断面図である。
【図１２】従来技術の例の断面図である。
【図１３】従来技術の他例の斜視図である。
【符号の説明】
【００２３】
１  機器
１ａ  埋設スピーカー
３  前面カバー梯子形状部
３ａ  スリット
３ｂ  桟
４  前面カバー
５  前面カバー本体
６  着脱カバー体
７  本体側梯子形状部
７ａ  スリット
７ｂ  桟
８  着脱カバー配置用空所
９  着脱カバー側梯子形状部
９ａ  スリット
９ｂ  桟
１０  取付具
１０ａ  操作部
ｓ  隙間
【図１】
2008054248.tif 000003
【図２】
2008054248.tif 000004
【図３】
2008054248.tif 000005
【図４】
2008054248.tif 000006
【図５】
2008054248.tif 000007
【図６】
2008054248.tif 000008
【図７】
2008054248.tif 000009
【図８】
2008054248.tif 000010
【図９】
2008054248.tif 000011
【図１０】
2008054248.tif 000012
【図１１】
2008054248.tif 000013
【図１２】
2008054248.tif 000014
【図１３】
2008054248.tif 000015